(57)【要約】【課題】  回転中心軸の中心のズレ、ナットの緩み、回転板のガタツキなどを防止することである。【解決手段】  回転中心軸２とこの回転中心軸を中心に対向配置された２つの固定ボス３，４とを立設した固定板５と、回転中心軸２に対する軸受け部６と各固定ボス３，４を貫通させるための２つの開口部７，８とを有し、固定板５上に回転可能に設置された回転板９と、各固定ボス３，４に固定するための２つの固定部を有し、一方の固定部から他方の固定部に連結して延びる連結プレート１１と、この連結プレートの２つの固定部を、連結プレート１１が軸受け部６を押さえた状態で、各開口部７，８を介して対応する固定ボス３，４に固定するネジ１２，１３とを備えた回転装置。【選択図】  図４
2006133493.tif 000002
【特許請求の範囲】
【請求項１】
回転中心軸と、この回転中心軸を中心に対向配置された２つの固定ボスとを立設した固定板と、
回転中心軸に対する軸受け部と、各固定ボスを貫通させるための２つの開口部とを有し、固定板上に回転可能に設置された回転板と、
各固定ボスに固定するための２つの固定部を有し、一方の固定部から他方の固定部に連結して延びる連結プレートと、
この連結プレートの２つの固定部を各開口部を介して対応する固定ボスに固定する固定手段とを備えた回転装置。
【請求項２】
連結プレートが、回転中心軸に嵌合させる嵌合部を有し、
固定手段が、連結プレートの２つの固定部を、嵌合部を回転中心軸に嵌合させた状態で、対応する固定ボスに固定する請求項１に記載の回転装置。
【請求項３】
回転中心軸と、この回転中心軸から離れた位置に配置された１つの固定ボスとを立設した固定板と、
回転中心軸に対する軸受け部と、固定ボスを貫通させるための開口部とを有し、固定板上に回転可能に設置された回転板と、
回転中心軸に嵌合させるための嵌合部と、固定ボスに固定するための固定部とを有し、この固定部から嵌合部に連結して延びる連結プレートと、
この連結プレートの固定部を、嵌合部を回転中心軸に嵌合させ軸受け部を押さえた状態で、開口部を介して固定ボスに固定する固定手段とを備えた回転装置。
【請求項４】
開口部が、円弧状スリット部からなり、その両端部分で回転板の回転角度を規制する請求項１〜３のいずれか１つに記載の回転装置。
【請求項５】
固定手段が、ネジ、ボルトまたはナットである請求項１〜４のいずれか１つに記載の回転装置。
【請求項６】
固定板と回転板との間に、両板間の摩擦を少なくする摩擦低減シートをさらに備えた請求項１〜５のいずれか１つに記載の回転装置。
【請求項７】
請求項１〜６のいずれか１つに記載の回転装置と、ディスプレイと、このディスプレイを回転装置の回転板に固定するディスプレイ固定手段とを備えたディスプレイ装置。
【発明の詳細な説明】
【技術分野】
【０００１】
本発明は、回転装置に関し、さらに詳しくは、液晶テレビなどの画面の角度を変更可能な回転装置に関するものである。
【背景技術】
【０００２】
従来のこの種の回転装置としては、例えば、図７および図８に示すように、固定板５と、液晶テレビなどをその向きを変えるために回転させる回転板９とを備えた回転装置が知られている。
【０００３】
固定板５は、回転中心軸２とこの回転中心軸から離れた位置に配置された１つのボス４とを立設している。回転板９は、回転中心軸２に対する軸受け部６と、円弧状スリットよりなる開口部８とを有し、ボス４を開口部８に貫通させた状態で固定板５上に回転可能に設置されている。なお、ａは回転板９を固定板５上に固定するナット、ｂは同じくワッシャーである。
【０００４】
また、１４は、固定板５のゴム足であり、１５は、固定板５と回転板９との間に挿入される、回転摩擦を少なくする回転摩擦低減シートである。１６は、固定板５を覆い、天井部に開口部分１８を有し、回転板９に固定された覆い板である。１７は回転板９上に、覆い板１６の開口部分１８を介して固定され、液晶テレビなど（図示省略）を支持するためのスタンドネック、１９はそのカバーである。
【０００５】
以上の構成の回転装置は、開口部８内をボス４が動く範囲内で回転板９を回転させることができる。
しかしながら、回転板９と固定板５はワッシャ―ｂを介してナットａで連結固定されているため、回転板９の回転力がワッシャ―ｂを通してナットａに伝わっていた。この回転方向がナットａを締める回転方向と逆方向の場合には、ナットａを緩めることになっていた。そのため、従来技術ではワッシャ―ｂを複数用いて回転力がナットａに伝わらないようにしていたが、回転操作の回数が多くなるとナットの緩みが生じていた。
更に、回転板９は、開口部８の一方の端部分にボス４が当たって回転が規制される（回転が停止される）際には、その衝撃を軸受け部６を介して回転中心軸２のみに伝えることになり、この衝撃がナットａの緩みのきっかけとなるばかりでなく、回転中心軸２の中心がズレたり、回転板にガタツキが生じるなどという問題もあった。
【発明の開示】
【発明が解決しようとする課題】
【０００６】
そこで、本発明の主要な目的の一つは、回転中心軸の中心のズレ、ナットの緩み、回転板のガタツキなどを防止することである。
【課題を解決するための手段】
【０００７】
本発明は、回転中心軸と、この回転中心軸を中心に対向配置された２つの固定ボスとを立設した固定板と、
回転中心軸に対する軸受け部と、各固定ボスを貫通させるための２つの開口部とを有し、固定板上に回転可能に設置された回転板と、
各固定ボスに固定するための２つの固定部を有し、一方の固定部から他方の固定部に連結して延びる連結プレートと、
この連結プレートの２つの固定部を各開口部を介して対応する固定ボスに固定する固定手段と
を備えた回転装置を提供する。
【０００８】
本発明は、別の観点によれば、回転中心軸と、この回転中心軸から離れた位置に配置された１つの固定ボスとを立設した固定板と、
回転中心軸に対する軸受け部と、固定ボスを貫通させるための開口部とを有し、固定板上に回転可能に設置された回転板と、
回転中心軸に嵌合させるための嵌合部と、固定ボスに固定するための固定部とを有し、この固定部から嵌合部に連結して延びる連結プレートと、
この連結プレートの固定部を、嵌合部を回転中心軸に嵌合させ軸受け部を押さえた状態で、開口部を介して固定ボスに固定する固定手段と
を備えた回転装置を提供できる。
【発明の効果】
【０００９】
本発明に係る回転装置によれば、少なくとも一端を固定ボスに固定し、他端を固定ボスまたは回転中心軸に固定するための２つの固定部を有する連結プレートと、この連結プレートの固定部を回転板の開口部を介して固定ボスに固定する固定手段とによって固定板と回転板を連結固定するようにしたため、回転板の回転力により緩む部品がなくなる。
更に、開口部の端部分が固定ボスに当たって回転を停止する際に、その衝撃力を、回転板自体だけではなく連結プレートを介して、回転中心軸に分散して伝えることができるようになり、固定ボスへの衝撃力を弱めることができる。
【発明を実施するための最良の形態】
【００１０】
本発明は、少なくとも１つの固定ボスに固定するための固定部を有する連結プレートと、この連結プレートの固定部を、軸受け部を押さえた状態で、開口部を介して対応する固定ボスに固定する固定手段とを備えた点を特徴とする。
ここで、連結プレートが、２つの固定部と回転中心軸に嵌合させる嵌合部とを有し、固定手段が、連結プレートの２つの固定部を、嵌合部を回転中心軸に嵌合させた状態で、対応する固定ボスに固定するよう構成し、回転中心軸の中心のズレ、ナットの緩み、回転板のガタツキなどをより確実に防止できるようにしてもよい。
【００１１】
本発明において、回転板の開口部は、円弧状スリット部からなり、その両端部分で回転板の回転角度を所定の値（例えば、１８０度以内）に規制するよう構成し、液晶テレビなどを安定して回転できるようにしてもよい。
【００１２】
連結プレートの固定部を固定ボスに固定する固定手段としては、特に限定されないが、ネジ、ボルトまたはナットを好ましいものとして挙げることができ、もちろん、これに対応して固定ボスにはネジ孔またはネジ軸が必要であり、固定部をそれらのネジ、ボルト、ネジ軸を通し、連結プレートを固定できる孔部とする必要がある。
また、固定板と回転板との間には、両板間の摩擦を少なくする摩擦低減シートをさらに備えてもよい。
【００１３】
本発明は、さらに別の観点によれば、上述した回転装置と、ディスプレイと、このディスプレイを回転装置の回転板に固定するディスプレイ固定手段とを備えたディスプレイ装置を提供できる。
ここで、ディスプレイは、液晶ディスプレイ、プラズマディスプレイなどの平面ディスプレイであってもよい。
【００１４】
ディスプレイ固定手段は、回転板上に固定され、ディスプレイを支持するスタンドネックで構成でき、このスタンドネックにはカバーを設けることができる。また、回転装置の固定板および連結プレートを覆い、天井部にスタンドネックを通す開口部分を有し、回転板に固定される覆い板をさらに設けることもできる。
なお、本発明に係る回転装置（回転台）を利用して回転させる被回転体は、特に限定されるものではなく、上述のディスプレイのほかに、ＥＣＲ、パソコン、ジャーポットなどを挙げることができる。
【００１５】
［実施の形態１］
図１は本発明に係る回転装置の実施の形態１を備えた平面ディスプレイ装置を示す斜視図、図２は図１の回転装置を主として示す（平面ディスプレイを除いた状態を示す）斜視図、図３は図２の回転装置の概略説明図で、Ａは平面図、Ｂは断面図、Ｃは底面図である。図４は図２の主として回転装置の分解斜視図である。
【００１６】
まず、図１において、平面ディスプレイ装置Ｓは、平面ディスプレイＨと、この平面ディスプレイを所定の角度範囲（例えば、約９０度）に回転可能に支持するための回転装置（回転台）１と、平面ディスプレイＨを回転装置１に固定するディスプレイ固定手段とから主としてなる。
【００１７】
この回転装置１は、図２〜４、特に図３および４において、固定板５と、回転板９と、連結プレート１１と、固定手段としてのネジ１２，１３とから主としてなる。
ディスプレイ固定手段はスタンドネック１７からなり、１９はそのスタンドネックカバーである。なお、１６は、固定板５と、連結プレート１１とを覆い、天井部に開口部分１８を有し、回転板９に固定された覆い板である。
【００１８】
固定板５は、回転中心軸２と、この回転中心軸を中心に対向配置された２つの固定ボス３，４とを立設し、底面にはゴム足１４を備えている。
回転板９は、回転中心軸２に対する軸受け部６と、各固定ボス３，４を貫通させるための２つの開口部としての円弧状スリット７，８とを有し、固定板５上に、２つのスリット７，８と各固定ボス３，４との相対移動範囲内で回転可能に設置されている（スリット７，８と各固定ボス３，４とは、回転板９の回転に対し相互にストッパーとなる）。
なお、１５は固定板５と回転板９との間に挿入される、回転摩擦を少なくする回転摩擦低減シートである。
【００１９】
さて、連結プレート１１は、固定ボス３，４に固定するための２つの固定部（連結プレート１１両端の孔部）を有し、一方の固定部から他方の固定部に連結して延びる。
ネジ１２，１３は、連結プレート１１の２つの固定部を、連結プレート２１が軸受け部６を押さえた状態で、各開口部７，８を介して対応する固定ボス３，４に固定する。
【００２０】
次に、以上の構成を備えた回転装置の作動を簡単に説明する。
平面ディスプレイＨを所定の角度以上に回転させようとすると、スタンドネック１７を介して、回転板９が回転し、その円弧状スリット７，８の各端部分が固定板５の固定ボス３，４に当接（衝突）して平面ディスプレイＨが停止する。この際、平面ディスプレイＨ、スタンドネック１７、回転板９などは、全体としてきわめて大きな重量なので、当接の衝撃力はきわめて大きい。しかし、その衝撃力（トルク）は、回転板９だけではなく、連結プレート１１を介して、回転中心軸２に分散して伝えることができ、それによって衝撃力を弱め、回転中心軸２の中心のズレ、ナットの緩み、回転板９のガタツキなどを防止できる。
また、固定ボスを固定板９と連結プレート１１で支えるため、固定板９のみで支えていた従来に比べて、固定ボスの破損を抑えることができる。
【００２１】
［実施の形態２］
図５は本発明に係る回転装置の実施の形態２を示す図３相当図、図６は実施の形態２の図４相当図である。
【００２２】
この実施の形態２の回転装置は、図５および６において、固定板５と、回転板９と、連結プレート２１と、固定手段としてのネジ１３とから主としてなる。
なお、この回転装置を用いる平面ディスプレイ装置は、実施の形態１の場合と同様であり詳細は省略するが、平面ディスプレイと、この平面ディスプレイを所定の角度範囲（例えば、約９０度）に回転可能に支持するための回転装置（回転台）と、平面ディスプレイを回転装置に固定する固定手段とから主としてなる。
【００２３】
この回転装置は、図５および６において、固定板５と、回転板９と、連結プレート２１と、固定手段としてのネジ１３とから主としてなる。
ディスプレイ固定手段はスタンドネック１７からなり、１９はそのスタンドネックカバーである。なお、１６は、固定板５と、連結プレート２１とを覆い、天井部に開口部分１８を有し、回転板９に固定された覆い板である。
【００２４】
固定板５は、回転中心軸２と、この回転中心軸から離れた位置に配置された固定ボス４とを立設し、底面にはゴム足１４を備えている。
回転板９は、回転中心軸２に対する軸受け部６と、固定ボス４を貫通させるための開口部としての円弧状スリット８とを有し、固定板５上に、スリット８と固定ボス４との相対移動範囲内で回転可能に設置されている。
なお、１５は固定板５と回転板９との間に挿入される、回転摩擦を少なくする回転摩擦低減シートである。
【００２５】
さて、連結プレート２１は、回転中心軸２に嵌合させる嵌合部１０と、固定ボス４に固定するための固定部（連結プレート２１の先端の孔部）とを有し、この固定部から嵌合部に連結して延びる。
ネジ１３は、連結プレート２１の固定部を、嵌合部１０を回転中心軸２に嵌合させ連結プレート２１が軸受け部６を押さえた状態で、各開口部８を介して対応する固定ボス４に固定する。
【００２６】
次に、以上の構成を備えた回転装置の作動を簡単に説明する。
平面ディスプレイを所定の角度以上に回転させようとすると、スタンドネック１７を介して、回転板９が回転し、その円弧状スリット８の端部分が固定板５の固定ボス４に当接（衝突）して平面ディスプレイが停止する。
【００２７】
この際、平面ディスプレイ、スタンドネック１７、回転板９などは、全体としてきわめて大きな重量なので、当接の衝撃力はきわめて大きい。しかし、その衝撃力は、回転板９だけではなく、連結プレート２１を介して、回転中心軸２に分散して伝えることができ、それによって衝撃力を弱め、回転中心軸２の中心のズレ、ナットの緩み、回転板９のガタツキなどを防止できる。
また、固定ボスを固定板９と連結プレート１１で支えるため、固定板９のみで支えていた従来に比べて、固定ボスの破損を抑えることができる。
【図面の簡単な説明】
【００２８】
【図１】本発明に係る回転装置の実施の形態１を備えた平面ディスプレイ装置を示す斜視図である。
【図２】図１の回転装置を主として示す（平面ディスプレイを除いた状態を示す）斜視図である。
【図３】図２の回転装置の概略説明図で、Ａは平面図、Ｂは断面図、Ｃは底面図である。
【図４】図２の主として回転装置の分解斜視図である。
【図５】本発明に係る回転装置の実施の形態２を示す図３相当図である。
【図６】実施の形態２の図４相当図である。
【図７】従来の回転装置の概略説明図で、Ａは平面図、Ｂは断面図、Ｃは底面図である。
【図８】図７の回転装置の分解斜視図である。
【符号の説明】
【００２９】
１          回転台
２          回転中心軸
３          固定ボス
４          固定ボス
５          固定板
６          軸受け部
７          円弧状スリット（開口部）
８          円弧状スリット（開口部）
９          回転板
１０        嵌合部
１１        連結プレート
１２        ネジ
１３        ネジ
１４        ゴム足
１５        回転摩擦低減シート
１６        覆い板
１７        スタンドネック
１８        開口部分
１９        スタンドネックカバー
２１        連結プレート
【図１】
2006133493.tif 000003
【図２】
2006133493.tif 000004
【図３】
2006133493.tif 000005
【図４】
2006133493.tif 000006
【図５】
2006133493.tif 000007
【図６】
2006133493.tif 000008
【図７】
2006133493.tif 000009
【図８】
2006133493.tif 000010